(57)【要約】【課題】  従来のスクラッチカードでは、一旦スクラッチシールを削り取り、スクラッチシールの下面に形成されている印刷領域の印字情報を読み取り、情報を入手した後、再度スクラッチシールを形成するというような不正使用を十分防止できないという課題がある。【解決手段】  本発明は、基材上の少なくとも一部に、インクジェットプリンターにより印刷可能な印刷領域と、前記印刷領域を覆い、かつ削り取ることが可能なスクラッチシールとを備えたスクラッチカードにおいて、前記印刷領域の基材上には、剥離剤をパターン状に形成した剥離パターン層と、前記剥離パターン層を覆うように設けられ、前記インクジェットプリンターにより印刷可能なインクジェット受像層と、前記インクジェット受像層を覆うスクラッチシールとが、少なくとも積層されていることを特徴とするスクラッチカードにより上記の課題を解決した。【選択図】  図１
2014069370.tif 000002
【特許請求の範囲】
【請求項１】
基材上の少なくとも一部に、インクジェットプリンターにより印刷可能な印刷領域と、前記印刷領域を覆い、かつ削り取ることが可能なスクラッチシールとを備えたスクラッチカードにおいて、前記印刷領域の基材上には、剥離剤をパターン状に形成した剥離パターン層と、前記剥離パターン層を覆うように設けられ、前記インクジェットプリンターにより印刷可能なインクジェット受像層と、前記インクジェット受像層を覆うスクラッチシールとが、少なくとも積層されていることを特徴とするスクラッチカード。
【請求項２】
前記インクジェット受像層に、所定の情報が前記インクジェットプリンターにより印刷されていることを特徴とする請求項１に記載のスクラッチカード。
【請求項３】
前記スクラッチシールは、前記剥離パターン層側から、少なくとも粘着層、保護フィルム層、隠蔽層が、この順に積層されてなることを特徴とする請求項１又は２に記載のスクラッチカード。
【請求項４】
前記スクラッチシールの隠蔽層の上に、さらに印刷パターン層を形成したことを特徴とする請求項３に記載のスクラッチカード。
【請求項５】
前記印刷領域の基材上には、予めアンカー層が形成されていることを特徴とする請求項１〜４のいずれか一項に記載のスクラッチカード。
【発明の詳細な説明】
【技術分野】
【０００１】
本発明は、スクラッチシールを具備したスクラッチカードに関し、更に詳しくは、コインや爪等により引っ掻く（スクラッチする）ことによりスクラッチシールの少なくとも一部が削り取られ、下面に形成された印字情報が視認可能となるスクラッチカードに関するものである。
【背景技術】
【０００２】
一般に、印刷物は情報を広めるために大量複製され情報隠蔽性は不要であるが、印刷物によっては、情報が露呈することにより支障が生ずるものがある。
【０００３】
例えば、「当たり」、「はずれ」等のくじの当否の文字情報、クイズの解答を示す記号や図形、あるいは画像、コード、マーク、番号、個人情報等の様々な秘匿情報がある。
これらの秘匿情報をフレキソ印刷機、オフセット印刷機、グラビア印刷機、活版印刷機、凹版印刷機、熱転写プリンタ、レーザープリンタ、ドットプリンタ、インクジェットプリンタ等により印刷して形成した秘匿情報印刷部の上に、アルミ粉にバインダー成分を加えた銀インキを主成分とする引っ掻くことで破壊されるスクラッチ隠蔽層を形成したインスタントくじ、宝くじ、秘匿情報伝達カード、クイズカード、プリペイドカード等が知られている。
【０００４】
上述したように、情報を隠蔽するという目的のために、秘匿情報印刷部の上にアルミ粉等の金属の微粉末を含むインキで形成したスクラッチ隠蔽層を被覆することにより、秘匿情報印刷部を透視できないようにしている。
正当な使用者が秘匿情報印刷部の情報を取得するためには、スクラッチ隠蔽層を引っ掻いて削りカスを除去することにより、秘匿情報を目視で確認することができる。
【０００５】
ところが、不正使用者が秘匿情報印刷部の秘匿情報を不正に読み取った後、秘匿情報印刷部の上にスクラッチ隠蔽層を再度形成することで、偽造品や模造品になってしまう可能性がある。
【０００６】
特許文献１に記載の発明では、スクラッチカードの真偽判定を容易に行うために、スクラッチ隠蔽層中に香料を含有させることにより、スクラッチした場合に芳香が生じるか否かで真偽が明確になるスクラッチカードを提供している。
【０００７】
特許文献２に記載の発明では、自然環境光下で目視により機密情報層の色と隠蔽層の色とを同一色にすることで、機密情報層の内容を不正に読み取られることを防止したスクラッチ隠蔽層付印刷物を提供している。
【０００８】
特許文献３に記載の発明では、スクラッチカードのスクラッチ隠蔽部に、秘密情報を劣化させる成分を含んだマイクロカプセルを入れることで、スクラッチを実施したときにその成分が秘密情報を劣化させることにより、不正行為が行われた場合、目視にて容易に確認できるようにし、不正行為による被害を少なくすると共に、不正行為の防止を図ることができるスクラッチカードを提供している。
【０００９】
特許文献４に記載の発明では、スクラッチカードのスクラッチ隠蔽部に、秘密情報を劣化させる成分の他、香料が含まれたマイクロカプセルを入れることで不正行為の防止を図ることができるスクラッチカードを提供している。
【先行技術文献】
【特許文献】
【００１０】
【特許文献１】特開２００１−４７７７７号公報
【特許文献２】特開２００７−１５２９０７号公報
【特許文献３】特開２０１０−１０５３４４号公報
【特許文献４】特開２０１０−１４９４３０号公報
【発明の概要】
【発明が解決しようとする課題】
【００１１】
このように従来よりスクラッチシールを削り取ることにより、スクラッチシールの下面に形成されている印刷領域の印字情報を読み取るスクラッチカードが提供されている。
しかしながら、従来のスクラッチカードでは、一旦スクラッチシールを削り取り、スクラッチシールの下面に形成されている印刷領域の印字情報を読み取り、情報を入手した後、再度スクラッチシールを形成するというような不正使用を十分防止できないという課題がある。
【課題を解決するための手段】
【００１２】
そこで、本発明に係わるスクラッチカードは、以下の各態様により上記課題を解決した。
【００１３】
本発明に係わる第１の態様は、基材（１１）上の少なくとも一部に、インクジェットプリンターにより印刷可能な印刷領域と、前記印刷領域を覆い、かつ削り取ることが可能なスクラッチシール（１７）とを備えたスクラッチカード（１０）において、前記印刷領域の基材（１１）上には、剥離剤をパターン状に形成した剥離パターン層（１２）と、前記剥離パターン層（１２）を覆うように設けられ、前記インクジェットプリンターにより印刷可能なインクジェット受像層（１３）と、前記インクジェット受像層（１３）を覆うスクラッチシール（１７）とが、少なくとも積層されていることを特徴とするスクラッチカード（１０）である。
【００１４】
第１の態様によれば、スクラッチカード（１０）において、剥離剤をパターン状に形成した剥離パターン層（１２）上にインクジェットプリンターにより印刷可能なインクジェット受像層（１３）を形成しているため、印刷層であるインクジェット受像層（１３）が剥離パターン層（１２）上と基材（１１）上とにパターン状に積層されることになる。
【００１５】
従って、スクラッチシール（１７）を何らかの手段を用いて剥がそうとすると、パターン状に形成された剥離パターン層（１２）のパターン効果により、インクジェット受像層（１３）に印刷されている印字情報が粘着層（１４）側と基材（１１）側とに解離して、破壊され、判読不能となり、改竄することが不可能になる。
【００１６】
本発明に係わる第２の態様は、第１の態様において、前記インクジェット受像層（１３）に、所定の情報が前記インクジェットプリンターにより印刷されていることを特徴とするスクラッチカード（１０）である。
【００１７】
本発明に係わる第３の態様は、第１または第２の態様において、前記スクラッチシール（１７）は、前記剥離パターン層（１２）から、少なくとも粘着層（１４）、保護フィルム層（１５）、隠蔽層（１６）が、この順に積層されてなることを特徴とするスクラッチカード（１０）である。
【００１８】
第３の態様によれば、剥離パターン層（１２）側から粘着層（１４）、保護フィルム層（１５）、隠蔽層（１６）からなるスクラッチシール（１０）を何らかの手段を用いて剥がし、別に用意したスクラッチカードに貼り替えて改竄しようとした場合に、スクラッチシール（１０）の粘着層（１４）に印字情報の一部が残る。
【００１９】
本発明に係わる第４の態様は、第３の態様において、前記スクラッチシール（１７）の隠蔽層（１６）の上に、さらに印刷パターン層（１９）を形成したことを特徴とするスクラッチカード（１０）である。
【００２０】
本発明に係わる第５の態様は、第１から第４のいずれかの態様において、前記印刷領域の基材（１１）上には、予めアンカー層（１８）が形成されていることを特徴とするスクラッチカード（１０）である。
【発明の効果】
【００２１】
本発明によれば、スクラッチシールを剥がすと、剥離パターン層のパターンに応じて、インクジェット受像層が破壊されるので、貼りかえられた側のスクラッチカードが、不正に使用されたものだということが目視で確認できるという効果がある。
【図面の簡単な説明】
【００２２】
【図１】本発明に係わるスクラッチカードの一形態を示す概略断面図である。
【図２】本発明に係わるスクラッチカードの別の形態を示す概略断面図である。
【図３】本発明に係わるスクラッチカードにおいてスクラッチシールを削らず、故意に剥離した時の状態を示す概略断面図である。
【図４】本発明に係わるスクラッチカードの別の形態を示す概略断面図である。
【図５】本発明に係わるスクラッチカードの別の形態を示す概略断面図である。
【図６】本発明に係わるスクラッチカードにおいてスクラッチシールを削らず、故意に剥離した時の状態を示す別の形態の概略断面図である。
【発明を実施するための形態】
【００２３】
次に、本発明の実施形態について、詳述する。
図１は、本発明に係わるスクラッチカードの一形態を示す概略断面図である。図１において、１０はスクラッチカード、１１は基材、１２は剥離パターン層、１３はインクェット受像層、１４は粘着層、１５は保護フィルム層、１６は隠蔽層、１７はスクラッチシールを示している。
スクラッチカード１０は、図１に示されるように、基材１１上に剥離剤をパターン状に形成した剥離パターン層１２からなり、さらに剥離パターン層１２の上にインクジェットプリンターにより印刷可能なインクジェット受像層１３が形成されている。さらにインクジェット受像層１３の上に粘着層１４、保護フィルム層１５、隠蔽層１６からなるスクラッチシール１７が積層されている。
【００２４】
図２は、本発明に係わるスクラッチカードの別の形態を示す概略断面図である。図２において、１０はスクラッチカード、１１は基材、１２は剥離パターン層、１３はインクジェット受像層、１４は粘着層、１５は保護フィルム層、１６は隠蔽層、１７はスクラッチシール、１８はアンカー層を示している。
【００２５】
スクラッチカード１０は、図２に示すように、基材１１上にアンカー層１８が形成されており、アンカー層１８の上に剥離剤をパターン状に形成した剥離パターン層１２が形成され、その上にインクジェット受像層１３が形成されている。さらにインクジェット受像層１３の上に粘着層１４、保護フィルム層１５、隠蔽層１６からなるスクラッチシール１７が積層されている。
【００２６】
図３において、１０はスクラッチカード、１１は基材、１２は剥離パターン層、１３はインクジェット受像層、１４は粘着層、１５は保護フィルム層、１６は隠蔽層、１７はスクラッチシールを示している。
【００２７】
図３は、本発明に係わるスクラッチカード１０においてスクラッチシール１７を削らず、故意に剥離した時の状態を示す概略断面図であり、インクジェット受像層１３が、スクラッチシール１７の剥離により、解離し、破壊され、インクジェット受像層１３の印字情報が判読不能になった状態を示している。
【００２８】
スクラッチカード１０において、基材１１上に剥離剤をパターン状に形成した剥離パターン層１２を形成し、剥離パターン層１２の上にインクジェット受像層１３を形成することにより、インクジェット受像層１３が基材１１と接している部分と、剥離パターン層１２と接している部分に分かれたパターン化された状態となる。従って、インクジェット受像層１３が、接している基材１１との接着力と剥離パターン層１２との接着力との間に差が生ずる。従ってスクラッチシール１７をインクジェット受像層１３から剥離した時にインクジェット受像層とともに該受像層に形成された印字情報が破壊される仕組みになっている。
【００２９】
図４は、本発明に係わるスクラッチカード１０の別の形態を示す概略断面図であり、１０はスクラッチカード、１１は基材、１２は剥離パターン層、１３はインクジェット受像層、１４は粘着層、１５は保護フィルム層、１６は隠蔽層、１７はスクラッチシール、１９は隠蔽層１６の上に形成された地紋印刷の印刷パターン層を示している。
【００３０】
当該印刷パターン層１９の存在により、更にセキュリティ性を高めることができる。
【００３１】
図５は、本発明に係わるスクラッチカード１０の別の形態を示す概略断面図であり、１０はスクラッチカード、１１は基材、１２は剥離パターン層、１３はインクジェット受像層、１４は粘着層、１５は保護フィルム層、１６は隠蔽層、１７はスクラッチシール、１８はアンカー層、１９は隠蔽層１６の上に形成された地紋印刷の印刷パターン層を示している。
【００３２】
当該アンカー層１８の存在により、基材１１と剥離パターン層１２またはインクジェット受像層１３との相性を更に良好にすることができる。
【００３３】
図６は、本発明に係わるスクラッチカード１０においてスクラッチシール１７を削らず、故意に剥離した時の状態を示す別の形態の概略断面図であり、１０はスクラッチカード、１１は基材、１２は剥離パターン層、１３はインクジェット受像層、１４は粘着層、１５は保護フィルム層、１６は隠蔽層、１７はスクラッチシール、１９は隠蔽層１６の上に形成された地紋印刷の印刷パターン層を示している。
【００３４】
図６に示した態様においても、図３に示した態様と同様に、インクジェット受像層１３がスクラッチシール１７の剥離により、解離し、破壊され、インクジェット受像層１３の印字情報が判読不能になる。
【００３５】
（基材）
カード基材１１に好適に使用できるものとしては、ポリアミド、セルロースジアセテート、セルローストリアセテート、ポリスチレン、ポリエチレン、ポリプロピレン、ポリエチレンテレフタレート（ＰＥＴ）、ポリイミド、ポリカーボネートがあり、その他の樹脂を用いても良い。
【００３６】
（アンカー層）
アンカー層１８は、例えば、ウレタンアクリレート、エポキシアクリレートなどの電離放射線硬化型樹脂や、ポリエステル、塩化ビニルー酢酸ビニル共重合体などの樹脂から構成されることが好ましい。その厚さは、０．０１μｍ〜５μｍの範囲に形成するのが好ましく、０．５μｍ〜３μｍに形成するのがより好ましい。
【００３７】
（剥離パターン層）
剥離パターン層１２に用いられる樹脂としては、従来公知の剥離性樹脂あるいは、剥離剤を含んだ樹脂であれば特に限定されることはなく、例えば、ワックス類、シリコーンワックス、シリコーン樹脂、シリコーン変性樹脂、フッ素樹脂、フッ素変性樹脂、ポリビニルアルコール、アクリル樹脂、熱架橋性エポキシーアミノ樹脂及び架橋性アルキッドーアミノ樹脂等が挙げられる。また、剥離パターン層１２に用いられる樹脂として、１種の樹脂からなるものであっても良く、２種以上の樹脂からなるものであっても良い。
さらに、ポリメチル（メタ）アクリレート、エポキシ（メタ）アクリレート、ウレタン（メタ）アクリレート、ポリエステル（メタ）アクリレート、アクリル変性ポリエステル、ポリエーテル（メタ）アクリレート、ポリオール（メタ）アクリレート、メラミン（メタ）アクリレート、トリアジン系アクリレート等の電離放射線硬化型樹脂を好適に用いることができる。
【００３８】
（インクジェット受像層）
ウレタン系樹脂、アクリル系樹脂等の樹脂からなるインクジェット受像層は、厚さ０．５μｍ〜５０μｍの範囲が好ましく、厚さ１μｍ〜４０μｍで塗布乾燥することがより好ましい。
このインクジェット受像層に市販のインクジェットプリンター（ＥＰＳＯＮ製；型番ＰＸ−Ｇ９２０）を使用して絵柄、文字、記号などの画像を印刷した。
【００３９】
（粘着層）
粘着層１４は、常温で粘着性を有するアクリル系粘着剤、シリコーン系粘着剤、ゴム系粘着剤等を単独または２種以上混合して用いて形成することができ、各種フィラーや硬化剤等の添加剤を含んでいてもよい。
粘着層１４の厚さは、１０μｍ〜２００μｍの範囲で塗布乾燥することが好ましい。
粘着層１４の形成方法については、特に制限はなく、例えば、コンマコート、リバースコート、エアナイフコート、ダイヘッドコート、ミヤバーコート、ダイレクトグラビア、オフセットグラビア等の公知の手法により、粘着剤を塗布することで、形成することができる。
【００４０】
（保護フィルム層）
保護フィルム層１５は、ポリエチレンテレフタレート（ＰＥＴ）等の従来公知の樹脂を用いることが出来、厚さは、１０μm〜１００μmの範囲が好ましい。
【００４１】
（隠蔽層）
隠蔽層１６であるスクラッチ層は、例えば、ゴム系天然樹脂（天然ゴム，塩酸ゴム等）、ジエン系樹脂（ポリブタジエン，スチレン・ブタジエン共重合体，アクリロニトリル・ブタジエン共重合体，ポリイソプレン，ポリクロロプレン等）や、アクリル系樹脂、ビニル系樹脂をビヒクル（顔料を印刷面に転移，固着させるための成分）としたものである。
さらにスクラッチ層は、下地の隠蔽性を得るために、色料としての金属系微粉末（アルミニウム微粉末，黄銅微粉末，銅微粉末等）やそれらの酸化微粉末等を４０重量％〜６０重量％含有しても良い。
また、スクラッチ層の下地の隠蔽性を向上させるために、硫酸バリウム，炭酸カルシウム等を１〜２重量％含有させても良い。
また、スクラッチ層の厚さは、３μｍ〜２０μｍの範囲が好ましい。
【００４２】
（印刷パターン層）
印刷パターン層１９は、パターンや彩文の印刷を行うオフセット印刷で印刷された地紋印刷層で形成されている。地紋印刷層には、従来から用いられている多色インキを使用することができ、さらには、電離放射線硬化型樹脂を用いることも可能である。
【符号の説明】
【００４３】
１０  スクラッチカード
１１  基材
１２  剥離パターン層
１３  インクジェット受像層
１４  粘着層
１５  保護フィルム層
１６  隠蔽層
１７  スクラッチシール
１８  アンカー層
１９  印刷パターン層  
【図１】
2014069370.tif 000003
【図２】
2014069370.tif 000004
【図３】
2014069370.tif 000005
【図４】
2014069370.tif 000006
【図５】
2014069370.tif 000007
【図６】
2014069370.tif 000008